(57)【要約】【課題】  表示された画像を見る観察者にも操作する操作者にも好適な表示装置および表示方法を提供する。【解決手段】  電子黒板１は、プレゼンテーションモードで動作しているときは、表示された画像を電子黒板１から離れた観察者が見やすいように表示面１４の輝度を相対的に高くし、手書き入力モードで動作しているときは、タッチパネル２３を操作している操作者である発表者が眩しくないように表示面１４の輝度を相対的に低くする。これにより、表示された画像を見る観察者にも操作する操作者にも好適な電子黒板１を提供することができる。【選択図】      図１
2015210504.tif 000002
【特許請求の範囲】
【請求項１】
少なくとも２つの動作モードで動作することが可能な表示装置であって、
画像を表示する表示面を有する表示部であって、前記表示面の輝度が変更可能に構成される表示部と、
前記表示面に重ねて設けられるタッチパネルであって、該タッチパネルへの物体の接触を検出するタッチパネルと、
前記表示装置の動作モードを、前記少なくとも２つの動作モードの間で切り換える動作モード制御部と、を含み、
前記少なくとも２つの動作モードのうちの１つの動作モードは、前記表示面に画像を表示して前記表示部の観察者に対する各種情報の提示を行うプレゼンテーションモードであり、前記少なくとも２つの動作モードのうちの他の１つの動作モードは、前記タッチパネルへの接触によって文字または図形を手書き入力する手書き入力モードであり、
前記プレゼンテーションモードで動作しているときの前記表示面の輝度が、前記手書き入力モードで動作しているときの前記表示面の輝度よりも高くなるように前記表示部を制御する輝度制御部を含むことを特徴とする表示装置。
【請求項２】
前記プレゼンテーションモードで動作しているときの前記表示面の輝度が５００〜２５００ｃｄ／ｍ２であり、前記手書き入力モードで動作しているときの前記表示面の輝度が１５０〜３００ｃｄ／ｍ２であることを特徴とする請求項１記載の表示装置。
【請求項３】
外部からの入力に応じて、前記動作モード制御部に対して、前記プレゼンテーションモードから前記手書き入力モードへの切り換え、または前記手書き入力モードから前記プレゼンテーションモードへの切り換えを指示する指示部をさらに含むことを特徴とする請求項１または２記載の表示装置。
【請求項４】
前記動作モード制御部は、前記手書き入力モードで動作しているときに、前記タッチパネルへの物体の接触が予め定める時間検出されなかった場合は、前記手書き入力モードから前記プレゼンテーションモードへと切り換えることを特徴とする請求項１〜３のいずれか１つに記載の表示装置。
【請求項５】
少なくとも２つの動作モードで動作することが可能な表示装置の表示部に画像を表示する表示方法であって、
前記少なくとも２つの動作モードのうちの１つの動作モードは、前記表示部の表示面に画像を表示して前記表示部の観察者に対する各種情報の提示を行うプレゼンテーションモードであり、前記少なくとも２つの動作モードのうちの他の１つの動作モードは、前記表示面に重ねて設けられるタッチパネルへの接触によって文字または図形を手書き入力する手書き入力モードであり、
前記表示部の動作モード制御部が、前記動作モードを前記少なくとも２つの動作モードの間で切り換え、
前記表示部の輝度制御部が、前記プレゼンテーションモードで動作しているときの前記表示面の輝度が、前記手書き入力モードで動作しているときの前記表示面の輝度よりも高くなるように前記表示部を制御することを特徴とする表示方法。
【発明の詳細な説明】
【技術分野】
【０００１】
本発明は、比較的大型の表示画面を備え、タッチパネルによって手書き文字を入力できる表示装置および表示方法に関する。
【背景技術】
【０００２】
電子ホワイトボードまたは電子黒板に代表される比較的大型の表示画面を備える表示装置は、会議の場や学校の授業などにおいて、多人数の参加者に情報を表示することができ、従来のホワイトボードや黒板に比べて高機能であることから企業や学校での導入数が増加している。
【０００３】
このような表示装置は、記憶部に記憶されている静止画や動画を表示画面に表示させたり、プレゼンテーションソフトで作成した資料を表示させたり、タッチパネルによって手書きで文字や図形などを入力するなどの機能を備えている。手書きによる文字入力は、キーボードを打つよりも簡単かつ直感的であり、タッチペンを用いてホワイトボードや黒板などと同じように入力できる。
【０００４】
たとえば、プレゼンテーションを目的として表示装置を使用する場合、表示装置を見る人が多く、表示装置までの距離が遠いと視認性が低下するので、バックライトの発光量を増加させて表示画面の輝度を高くしている。
【０００５】
特許文献１記載の携帯情報機器は、バックライトエリアを複数の分割領域に分割し、アプリケーションが表示する情報の表示領域に応じて、分割領域ごとの点灯状態を制御している。
【先行技術文献】
【特許文献】
【０００６】
【特許文献１】特開２０１１−７７６００号公報
【発明の概要】
【発明が解決しようとする課題】
【０００７】
表示画面の輝度を高くすることで、より遠くの人からもよく見えるようになり、視認性を向上させることができる。しかしながら、プレゼンテーションを行う発表者は、表示装置の近くに立ち、タッチパネルを使って手書き入力を行う場合があり、この場合、表示画面の輝度が高いと手書き入力しようとする発表者である操作者にとっては、表示画面が眩しくて入力作業が困難となる。
【０００８】
特許文献１記載の携帯情報機器は、電子黒板のようなプレゼンテーションを行うための大画面の表示装置を対象とはしておらず、バックライトの点灯状態の制御も消費電力を抑えることを目的としているので、上記のような課題を解決することはできない。
【０００９】
本発明の目的は、表示された画像を見る観察者にも操作する操作者にも好適な表示装置および表示方法を提供することである。
【課題を解決するための手段】
【００１０】
本発明は、少なくとも２つの動作モードで動作することが可能な表示装置であって、
画像を表示する表示面を有する表示部であって、前記表示面の輝度が変更可能に構成される表示部と、
前記表示面に重ねて設けられるタッチパネルであって、該タッチパネルへの物体の接触を検出するタッチパネルと、
前記表示装置の動作モードを、前記少なくとも２つの動作モードの間で切り換える動作モード制御部と、を含み、
前記少なくとも２つの動作モードのうちの１つの動作モードは、前記表示面に画像を表示して前記表示部の観察者に対する各種情報の提示を行うプレゼンテーションモードであり、前記少なくとも２つの動作モードのうちの他の１つの動作モードは、前記タッチパネルへの接触によって文字または図形を手書き入力する手書き入力モードであり、
前記プレゼンテーションモードで動作しているときの前記表示面の輝度が、前記手書き入力モードで動作しているときの前記表示面の輝度よりも高くなるように前記表示部を制御する輝度制御部を含むことを特徴とする表示装置である。
【００１１】
また本発明は、前記プレゼンテーションモードで動作しているときの前記表示面の輝度が５００〜２５００ｃｄ／ｍ２であり、前記手書き入力モードで動作しているときの前記表示面の輝度が１５０〜３００ｃｄ／ｍ２であることを特徴とする。
【００１２】
また本発明は、外部からの入力に応じて、前記動作モード制御部に対して、前記プレゼンテーションモードから前記手書き入力モードへの切り換え、または前記手書き入力モードから前記プレゼンテーションモードへの切り換えを指示する指示部をさらに含むことを特徴とする。
【００１３】
また本発明は、前記動作モード制御部は、前記手書き入力モードで動作しているときに、前記タッチパネルへの物体の接触が予め定める時間検出されなかった場合は、前記手書き入力モードから前記プレゼンテーションモードへと切り換えることを特徴とする。
【００１４】
また本発明は、少なくとも２つの動作モードで動作することが可能な表示装置の表示部に画像を表示する表示方法であって、
前記少なくとも２つの動作モードのうちの１つの動作モードは、前記表示部の表示面に画像を表示して前記表示部の観察者に対する各種情報の提示を行うプレゼンテーションモードであり、前記少なくとも２つの動作モードのうちの他の１つの動作モードは、前記表示面に重ねて設けられるタッチパネルへの接触によって文字または図形を手書き入力する手書き入力モードであり、
前記表示部の動作モード制御部が、前記動作モードを前記少なくとも２つの動作モードの間で切り換え、
前記表示部の輝度制御部が、前記プレゼンテーションモードで動作しているときの前記表示面の輝度が、前記手書き入力モードで動作しているときの前記表示面の輝度よりも高くなるように前記表示部を制御することを特徴とする表示方法である。
【発明の効果】
【００１５】
本発明によれば、動作モード制御部によって、表示部の表示面に画像を表示して観察者に対する各種情報の提示を行うプレゼンテーションモードとタッチパネルへの接触によって文字または図形を手書き入力する手書き入力モードの間で、表示装置の動作モードが切り換えられ、輝度制御部は、プレゼンテーションモードで動作しているときの表示面の輝度が、手書き入力モードで動作しているときの表示面の輝度よりも高くなるように表示部を制御する。
【００１６】
これにより、プレゼンテーションモードで動作しているときは、表示装置から離れた観察者が画像を見やすいように表示面の輝度を相対的に高くし、手書き入力モードで動作しているときは、タッチパネルを操作している操作者である発表者が眩しくないように表示面の輝度を相対的に低くするので、表示された画像を見る観察者にも操作する操作者にも好適な表示装置を提供することができる。
【００１７】
また本発明によれば、前記プレゼンテーションモードで動作しているときの前記表示面の輝度が５００〜２５００ｃｄ／ｍ２であり、前記手書き入力モードで動作しているときの前記表示面の輝度が１５０〜３００ｃｄ／ｍ２である。
【００１８】
また本発明によれば、外部からの入力に応じて、指示部が、手書き入力モードとプレゼンテーションモードとの間の切り換えを指示するので、意図しない動作モードの切り換えを防止できる。
【００１９】
また本発明によれば、前記動作モード制御部は、前記手書き入力モードで動作しているときに、前記タッチパネルへの物体の接触が予め定める時間検出されなかった場合は、前記手書き入力モードから前記プレゼンテーションモードへと切り換える。
【００２０】
これにより、手書き入力を終了した発表者が、何も操作しなくとも予め定める時間が経過すれば、プレゼンテーションモードに切り換わり、高い輝度で画像の表示を行うことができる。
【００２１】
本発明によれば、表示部の表示面に画像を表示して観察者に対する各種情報の提示を行うプレゼンテーションモードとタッチパネルへの接触によって文字または図形を手書き入力する手書き入力モードの間で、表示装置の動作モードが切り換えられ、プレゼンテーションモードで動作しているときの表示面の輝度が、手書き入力モードで動作しているときの表示面の輝度よりも高くなるように表示部が制御される。
【００２２】
これにより、プレゼンテーションモードで動作しているときは、表示装置から離れた観察者が画像を見やすいように表示面の輝度を相対的に高くし、手書き入力モードで動作しているときは、タッチパネルを操作している操作者である発表者が眩しくないように表示面の輝度を相対的に低くするので、表示された画像を見る観察者にも操作する操作者にも好適な表示装置を提供することができる。
【図面の簡単な説明】
【００２３】
【図１】本発明の第１実施形態である電子黒板１の構成を示すブロック図である。
【図２】本実施形態の電子黒板１の外観を示す図である。
【図３】電子黒板１の輝度制御処理を示すフローチャートである。
【図４】プレゼンテーションモードの輝度設定処理を示すフローチャートである。
【図５】手書き入力モードの輝度設定処理を示すフローチャートである。
【発明を実施するための形態】
【００２４】
図１は、本発明の第１実施形態である電子黒板１の構成を示すブロック図である。図２は、本実施形態の電子黒板１の外観を示す図である。
【００２５】
電子黒板１は、表示部１０と操作部１１と制御部１２と、記憶部１６と外部接続部１７とを含む。操作部１１は、たとえば、文字および図形の手書き入力が可能な操作面を有するタッチパネルによって実現される。表示部１０は、たとえば、液晶ディスプレイ（Liquid Crystal Display）によって実現される。表示部１０は、表示制御部２０と、表示面１４を備える表示素子２１とを含む。操作部１１は、タッチパネルインタフェイス２２と、タッチパネル２３とを含む。
【００２６】
電子黒板１は、表示装置本体２７とコントローラ２８とを備える構成になっている。表示装置本体２７は、操作部１１のタッチパネル２３と表示部１０の表示素子２１とを含む。コントローラ２８は、制御部１２と、表示部１０の表示制御部２０と、操作部１１のタッチパネルインタフェイス２２と、記憶部１６と、外部接続部１７とを含む。
【００２７】
表示装置本体２７は、操作者が目視可能な位置に配置され、操作者に情報を画像化して提示し、かつ操作者による操作を受付ける。
【００２８】
コントローラ２８は、画像の表示機能、手書きによる文字入力機能などを電子黒板１で実現するためのコントローラであり、枠表示部、文字表示部、軌跡認識部、判断部、文字列修正部、枠選択部である。コントローラ２８は、たとえば、動画ならびに静止画などの画像表示機能と、タッチパネル２３から入力された文字および図形などのデータを図表化して前述の動画ならびに静止画と合成する機能と、通信機能とを含む各種機能を有する。コントローラ２８は、たとえば、専用装置が用意されてもよく、一般的なパーソナルコンピュータにコントローラ２８を実現するためのプログラムをインストールして実行させることによって実現されてもよい。
【００２９】
表示部１０の表示素子２１は、電子黒板１で情報を目視表示するための表示素子である。たとえば、表示部１０の表示素子２１は、液晶ディスプレイ素子(Liquid Crystal Display：LCD)、または有機エレクトロルミネッセンス(Electro-Luminescence：EL)素子、陰極線管、ならびに投影型表示素子によって実現される。液晶ディスプレイ素子であればバックライトの発光量を調整したり、有機エレクトロルミネッセンス素子などの自発光素子であれば素子自体の発光量を調整することで表示素子２１の表示面１４の輝度を適宜変更することができる。
【００３０】
表示部１０の表示制御部２０は、動画および静止画などを含む入力された画像データを、表示素子２１で表示するためのデータ形式に加工して、表示部１０の表示素子２１に表示させる。表示部１０の表示制御部２０は、たとえば、一般的なパーソナルコンピュータのグラフィックカードで実現されてもよい。
【００３１】
操作部１１のタッチパネル２３は、操作者による接触位置を検出するためのデバイスである。操作部１１のタッチパネル２３は、たとえば、表示部１０の表示素子２１の表示面１４と重なる位置に配置される。操作部１１のタッチパネル２３は、表示部１０の表示素子２１の枠部分に設置されてもよい。操作部１１のタッチパネル２３は、操作者による接触位置が検出可能であれば、どのような検出方式を用いてもよい。
【００３２】
操作部１１のタッチパネルインタフェイス２２は、操作部１１のタッチパネル２３からのデータを受信するためのインタフェイスである。タッチパネルインタフェイス２２は、タッチパネル２３からのデータを受信可能であれば、どのような方式が用いられてもよい。たとえば、タッチパネルインタフェイス２２の方式として、USB(Universal Serial Bus)、およびRS232C (Recommended Standard  232  C)が挙げられる。
【００３３】
記憶部１６は、電子黒板１で用いられるアプリケーションプログラム、および各種のデータなどを記憶する枠記憶部である。また記憶部１６は、電子黒板１内の構成要素によって作業領域として利用されることもある。記憶部１６は、たとえば、揮発性の記憶装置であるランダムアクセスメモリ２５(Random Access Memory：RAM)、および不揮発性の記憶装置であるリードオンリメモリ２４(Read Only Memory：ROM)を含む。
【００３４】
外部接続部１７は、外部装置が接続され、外部装置から送出される画像データを取り込むインタフェイスである。電子黒板１は、たとえば、大画面ディスプレイとして使用することもできる。外部装置としてパーソナルコンピュータ（ＰＣ）や記録ディスク再生装置などを接続することができる。
【００３５】
電子黒板１と外部装置との間のデータ送受は、たとえば、電子黒板１と外部装置との間で必要なデータが送受可能な方式であれば、どのような方式が用いられてもよい。たとえば、電子黒板１と外部装置との間のデータ送受は、有線方式であってもよく、無線方式であってもよい。たとえば、上述のデータ送受の有線方式として、USB(Universal Serial Bus)、およびRS232C (Recommended Standard  232  C)が挙げられる。またたとえば、上述のデータ送受の無線方式として、Wi−Fi(Wireless  Fidelity)方式、Bluetooth（登録商標）方式、NFC(Near field communication)方式が挙げられる。
【００３６】
表示部１０の表示面１４には、操作領域３０と入力表示領域３１とが設定されている。操作領域３０には、グラフィカル ユーザ インタフェイス（Graphical User Interface：GUI）における複数のアイコン７が表示される。アイコン７には、電子黒板１を使用する際の各種機能が割り当てられる。たとえば、手書き文字入力時に文字および図形を描画するペン機能、描かれた文字および図形の一部を消去する消しゴム機能、表示内容をデータ化して記憶する保存機能、表示内容を画像化して印刷させる印刷機能を含む。またさらには、ペン機能選択時に描かれる線の複数種類の色および線の太さの組合わせ選択、表示領域内の一部分の範囲指定、範囲指定された部分の表示内容のドラッグ操作の指定などの機能が挙げられる。本発明では、たとえば、アイコン７に後述の各動作モードへの切り換えを指示する機能が割り当てられている。
【００３７】
電子黒板１を用いて手書きによる文字や記号の入力を行う場合、操作者の手指で直接タッチパネル２３に接触してもよいが、タッチペンなどの入力補助部品を用いてもよい。
【００３８】
本発明の電子黒板１は、表示部１０の表示面１４に画像を表示させ、表示されている画像を用いて発表者がプレゼンテーションを行うときに好適なプレゼンテーションモードと、操作者がタッチパネル２３に接触して手書きによる文字や記号を入力するときに好適な手書き入力モードの２つの動作モードで動作可能に構成されている。
【００３９】
上記２つの動作モード以外にも外部装置としてＰＣを接続したときのＰＣモニタモード、記録ディスク再生装置で再生される動画を表示する動画表示モードなどの各種モードで動作することもできる。
【００４０】
プレゼンテーションモードは、たとえば、プレゼンテーションソフトウェアによって生成されたプレゼンテーション用資料データに基づく画像を表示部１０の表示面１４に表示させ、発表者が表示された資料画像を用いて電子黒板１を見ている人（観察者）にプレゼンテーションを行うときに好適な動作モードである。発表者は、電子黒板１表示されている画像に基づいてプレゼンテーションを行うために、常に電子黒板１の近くに居る必要がある。観察者は、電子黒板１からある程度距離が離れた位置から表示部１０の表示面１４に表示された資料画像を見る場合が多い。
【００４１】
プレゼンテーションモードは、観察者が電子黒板１に表示された資料画像を見るときの視認性を向上させるために、表示面１４の輝度を手書き入力モードの輝度に対して相対的に高くする。表示面１４の輝度を高くするほど、電子黒板１からの距離がより遠い観察者にも表示されている画像がよく見えるようになる。
【００４２】
プレゼンテーションモードにおける表示面１４の輝度としては、たとえば、５００〜２５００ｃｄ／ｍ２とする。表示面１４の輝度が５００ｃｄ／ｍ２よりも低いと観察者による視認性の向上が不十分である場合があり、２５００ｃｄ／ｍ２よりも高いと電子黒板１から距離が離れた観察者であっても表示面１４を眩しく感じてしまう場合がある。プレゼンテーションモードにおける表示面１４の輝度は、電子黒板１を設置する場所に応じて、予め定める範囲内で変更可能に構成すればよく、ホールなど比較的広い空間に設置する場合は、観察者との距離も遠くなるので、範囲内でより高い輝度に設定し、会議室など比較的狭い空間に設置する場合は、観察者との距離が近くなるので範囲内でより低い輝度に設定すればよい。
【００４３】
ここで、発表者が電子黒板１のタッチパネル２３に接触して、文字などを手書き入力しようとした場合、発表者は電子黒板１に接触するような近い距離で表示面１４を見ることになる。プレゼンテーションモードでは、上記のように電子黒板１から離れた観察者でも表示された画像が見えるように表示面１４の輝度を高く設定しているため、手書き入力しようとする発表者にとっては、表示面１４が眩しく、却って画像が見辛いことになる。
【００４４】
本発明の電子黒板１では、動作モードが手書き入力モードのときには、表示面１４の輝度を相対的に低くする、すなわち、手書き入力モードにおける表示面１４の輝度をプレゼンテーションモードにおける表示面１４の輝度よりも低い輝度とする。
【００４５】
手書き入力モードでは、発表者である電子黒板１の操作者は、必ずタッチパネル２３に接触できる範囲の距離で表示面１４に表示される画像を見ることになるので、そのような距離で画像を見たとしても眩しくなく、かつ暗くて視認性が低下してしまわないような輝度を維持することが必要である。
【００４６】
電子黒板１の表示面１４の輝度は、電子黒板１を設置する場所に応じて、適宜設定すればよいが、手書き入力モードにおける表示面１４の輝度としては、たとえば、１５０〜３００ｃｄ／ｍ２とする。表示面１４の輝度が１５０ｃｄ／ｍ２よりも低いと視認性が低下してしまい、３００ｃｄ／ｍ２よりも高いと表示面１４からの距離が近い発表者には表示面１４を眩しく感じてしまう場合がある。手書き入力モードにおける表示面１４の輝度は、操作者の好みに応じて、予め定める範囲内で変更可能に構成すればよく、操作者が手書き入力では明るめの表示面１４を好む場合は、範囲内でより高い輝度に設定し、操作者が手書き入力では暗めの表示面１４を好む場合は、範囲内でより低い輝度に設定すればよい。
【００４７】
本発明の電子黒板１は、プレゼンテーションモードで動作しているときは、表示された画像を電子黒板１から離れた観察者が見やすいように表示面１４の輝度を相対的に高くし、手書き入力モードで動作しているときは、タッチパネル２３を操作している操作者である発表者が眩しくないように表示面１４の輝度を相対的に低くする。これにより、表示された画像を見る観察者にも操作する操作者にも好適な電子黒板１を提供することができる。
【００４８】
相対的に表示面１４の輝度を高くするプレゼンテーションモードと、相対的に表示面１４の輝度を低くする手書き入力モードとの切り換えは、予め機能が割り当てられたアイコン７を、発表者が操作することで切り換えの指示を入力することが可能となっている。
【００４９】
アイコン７に割り当てられる機能は、手書き入力モードからプレゼンテーションモードへの切り換えの指示を入力する第１の機能と、プレゼンテーションモードから手書き入力モードへの切り換えの指示を入力する第２の機能とがそれぞれ別のアイコン７に割り当てられていてもよい。
【００５０】
手書き入力モードで動作しているときに、発表者が第１の機能が割り当てられたアイコン７をタッチするなどして操作すると、動作モードの切り換え指示が入力され、電子黒板１の動作モードが手書き入力モードからプレゼンテーションモードへと切り換わる。動作モードが手書き入力モードからプレゼンテーションモードへと切り換わると、表示面１４の輝度が高くなる。なお、プレゼンテーションモードで動作しているときには、第１の機能が割り当てられたアイコン７は、機能しないようにする。
【００５１】
プレゼンテーションモードで動作しているときに、発表者が第２の機能が割り当てられたアイコン７をタッチするなどして操作すると、動作モードの切り換え指示が入力され、電子黒板１の動作モードがプレゼンテーションモードから手書き入力モードへと切り換わる。動作モードがプレゼンテーションモードから手書き入力モードへと切り換わると、表示面１４の輝度が低くなる。なお、手書き入力モードで動作しているときには、第２の機能が割り当てられたアイコン７は、機能しないようにする。
【００５２】
また、アイコン７に割り当てられる機能は、現在の動作モードと異なる動作モードへの切り換えの指示を入力する第３の機能であってもよい。
【００５３】
手書き入力モードで動作しているときに、発表者が第３の機能が割り当てられたアイコン７をタッチするなどして操作すると、動作モードの切り換え指示が入力され、電子黒板１の動作モードが現在の動作モードである手書き入力モードから異なる動作モードであるプレゼンテーションモードへと切り換わる。動作モードが手書き入力モードからプレゼンテーションモードへと切り換わると、表示面１４の輝度が高くなる。プレゼンテーションモードで動作しているときに、発表者が第３の機能が割り当てられたアイコン７をタッチするなどして操作すると、動作モードの切り換え指示が入力され、電子黒板１の動作モードが現在の動作モードであるプレゼンテーションモードから異なる動作モードである手書き入力モードへと切り換わる。動作モードがプレゼンテーションモードから手書き入力モードへと切り換わると、表示面１４の輝度が低くなる。
【００５４】
上記のアイコン７操作による指示入力は、一例であって、ユーザが操作することで動作モードの切り換え指示を入力できるものであれば、ソフトキー以外に指示入力機能が割り当てられたハードキーを電子黒板１が備えていてもよく、電子黒板１と通信可能なタッチペンに指示入力機能が割り当てられたハードキーが備えられていてもよい。
【００５５】
このように、動作モードの切り換え、特にプレゼンテーションモードから手書き入力モードへの切り換えについては、ユーザの操作に応じて指示が入力される、言い換えれば、意図的にユーザが操作をしない限りは動作モードが切り換わらないので、プレゼンテーションモードで動作し、発表者が表示された資料画像について説明しているときに意図せず動作モードが手書き入力モードに切り換わって表示面１４の輝度が低くなってしまうというようなことがない。
【００５６】
プレゼンテーションモードでは、プレゼンテーション用資料を表示させる場合に、資料が複数ページからなるものであれば、ページ送りなど表示されている画像のページを変更する操作が必要な場合がある。タッチパネル２３に発表者が接触するような操作によってページを変更する仕様であることが多く、したがって、プレゼンテーションモードでは、手書き入力ではないがタッチパネル２３を操作することがある。プレゼンテーション中には、表示されている画像に含まれる文字などに手書きで下線を付したり、枠で囲むなど強調する表現を行いたい場合もある。
【００５７】
プレゼンテーションモードから手書き入力モードへの切り換えを、文字または図形の手書き入力が検出されると、その検出に応じて切り換えるように構成してしまうと、上記のような強調表現を入力しただけで、下線や枠が文字または図形と判断され、手書き入力モードへと切り換わってしまう。本発明では、プレゼンテーションモードから手書き入力モードへの切り換えを、アイコン７操作などユーザによる特定の操作に限っているので、プレゼンテーション中に手書きで強調表現を入力しても手書き入力モードに切り換わって、表示面１４の輝度が低下してしまうことがない。
【００５８】
本発明の第２実施形態は、動作モードの切り換えにおいて、手書き入力モードからプレゼンテーションモードへの切り換えについては、アイコン７操作などユーザの操作に応じた切り換え以外に、電子黒板１の判断により切り換えるように構成されている。
【００５９】
上記のように、プレゼンテーションモードから手書き入力モードへの切り換えについては、プレゼンテーション中に発表者が意図しないタイミングで動作モードが切り換わり表示面１４の輝度が低下してしまわないように、ユーザの操作に応じて切り換えることが好ましい。手書き入力モードからプレゼンテーションモードへの切り換えについては、ユーザの操作がなくとも予め定める条件に基づいて切り換えるようにするのが好ましい。
【００６０】
本実施形態では、手書き入力モードで動作しているときに、タッチパネル２３への接触が予め定める時間検出されなかった場合は、制御部１２の判断により手書き入力モードからプレゼンテーションモードへと動作モードを切り換える。
【００６１】
第１実施形態では、プレゼンテーション中に発表者が手書きによって文字などを入力したい場合に、アイコン７を操作してプレゼンテーションモードから手書き入力モードに切り換え、手書き入力を行い、再度アイコン７を操作して手書き入力モードからプレゼンテーションモードに切り換えてプレゼンテーションを続行する。
【００６２】
特にプレゼンテーション中であれば、発表者は電子黒板１に表示されている画像を観察者に示しながら、口頭での説明も行う。アイコン７を操作してプレゼンテーションモードから手書き入力モードに切り換え、手書き入力を行ったのち、アイコン７を操作するのを忘れて口頭での説明を始めてしまうと動作モードが切り換わらず、表示面１４の輝度は低いままで、表示された画像が見えにくい。本実施形態では、発表者が手書き入力を終了し、タッチパネル２３への接触が検出されなくなってから予め定める時間（無操作時間）が経過すると、手書き入力モードからプレゼンテーションモードに戻るので、発表者がアイコン７の操作を忘れていた場合であっても動作モードが切り換わり、プレゼンテーションモードに戻って表示面１４の輝度が高くなる。
【００６３】
無操作時間としては、たとえば、５〜３０秒間とし、ユーザがこの範囲内から１つの時間を選択して設定可能とすることが好ましい。ユーザが選択しない場合でも初期値（たとえば１０秒間）を設定しておけばよい。
【００６４】
また、本実施形態でも第１実施形態と同様に、アイコン７を操作することにより手書き入力モードからプレゼンテーションモードに切り換えることも可能である。発表者が手書き入力を終了したのち、速やかにプレゼンテーションモードへと戻したい場合には、無操作時間が経過する前にアイコン７を操作することで、手書き入力モードからプレゼンテーションモードに切り換わる。
【００６５】
本発明の第３実施形態では、動作モードの切り換わりに応じて表示面１４の輝度が、緩やかに変化するように構成される。表示面１４の輝度の変化は、プレゼンテーションモードに設定された輝度Ｌ１と手書き入力モードに設定された輝度Ｌ２（＜Ｌ１）との間で、光源の応答速度に応じて速やかに変更するようにしてもよいが、急激な輝度の変化は却って視認性の低下を招く可能性がある。
【００６６】
本実施形態では、表示面１４の輝度の変化速度を、光源の応答速度に比べて緩やかなものとする。手書き入力モードからプレゼンテーションモードに切り換わる場合、Ｌ２からＬ１へと変化する時間をｔ１とすると、輝度の変化速度ｖ１は（Ｌ１−Ｌ２）／ｔ１で表される。時間ｔ１を光源の応答速度よりも長く設定することで、輝度の変化を緩やかにできる。輝度差（Ｌ１−Ｌ２）にもよるが、時間ｔ１としては、たとえば１〜５秒間とすればよい。
【００６７】
プレゼンテーションモードから手書き入力モードに切り換わる場合も同様で、Ｌ１からＬ２へと変化する時間をｔ２とすると、輝度の変化速度ｖ２は（Ｌ２−Ｌ１）／ｔ２で表される。時間ｔ２としては、ｔ１と同様にたとえば１〜５秒間とすればよい。ｖ１とｖ２とは同じ（ｔ１＝ｔ２）であってもよく、異なっていて（ｔ１≠ｔ２）もよい。
【００６８】
また、動作モードの切り換えに伴う輝度変化の変化速度は、上記のような一次関数で表される速度に限らず、二次関数、指数関数で表される速度であってもよい。さらに輝度変化は、連続的な変化ではなく断続的で、ステップ状の変化であってもよい。
【００６９】
図３は、電子黒板１の輝度制御処理を示すフローチャートである。まずステップＳ１で電子黒板１に対してユーザによる操作が入力される。ステップＳ２では、ステップＳ１で無操作であった場合に、これより前の操作がプレゼンテーションモードに関連する操作であったかどうかの情報を保持して次ステップに移行する。
【００７０】
ステップＳ３では、プレゼンテーションモードに関する操作であるかどうかを判断する。プレゼンテーションモードに関する操作は、手書き入力モードからプレゼンテーションモードへの切り換え指示を入力するためのアイコン７操作、プレゼンテーションモードで動作しているときのページ送り、強調表示などプレゼンテーションモードを継続したまま行う操作、すなわちプレゼンテーションモードから手書き入力モードへの切り換え指示を入力するためのアイコン７操作、動作終了の指示を入力するための操作などを除く操作である。
【００７１】
プレゼンテーションモードに関する操作であれば、ステップＳ４に進み、そうでなければステップＳ５に進む。ステップＳ４では、プレゼンテーションモードの輝度設定処理を行い、ステップＳ５では、手書き入力モードの輝度設定処理を行う。ステップＳ６では、動作の終了を指示するための終了コマンドが入力される操作であったかどうかを判断し、終了コマンドが入力されていれば処理を終了する。終了コマンドの入力でなければステップＳ７に進む。ステップＳ７では、ユーザによって行われた操作内容に応じた各種処理を実行する。
【００７２】
図４は、プレゼンテーションモードの輝度設定処理を示すフローチャートであり、図５は、手書き入力モードの輝度設定処理を示すフローチャートである。プレゼンテーションモードの輝度設定処理では、ステップＡ１において現在の表示面１４の輝度が、プレゼンテーションモードの輝度として設定された輝度Ｌ１に達しているかどうかを判断する。達していれば設定処理を終了し、達していなければステップＡ２に進む。本フローでは、表示面１４の輝度を複数の段階に分けてステップ状に増加させている。ステップＡ２では、現在の輝度に対してｎステップ分（ｎは自然数）輝度を高くする。
【００７３】
プレゼンテーションモードでの動作中にプレゼンテーションモードの輝度設定処理を実行する場合は、表示面１４の輝度は設定輝度Ｌ１となっているので、ステップＡ１では、設定輝度Ｌ１に達していると判断され、輝度が変化せずに設定処理を終了する。
【００７４】
手書き入力モードの輝度設定処理では、ステップＢ１において現在の表示面１４の輝度が、手書き入力モードの輝度として設定された輝度Ｌ２に達しているかどうかを判断する。達していれば設定処理を終了し、達していなければステップＢ２に進む。本フローでは、表示面１４の輝度を複数の段階に分けてステップ状に減少させている。ステップＢ２では、現在の輝度に対してｎステップ分（ｎは自然数）輝度を低くする。
【００７５】
手書き入力モードでの動作中に手書き入力モードの輝度設定処理を実行する場合は、表示面１４の輝度は設定輝度Ｌ２となっているので、ステップＢ１では、設定輝度Ｌ２に達していると判断され、輝度が変化せずに設定処理を終了する。
【符号の説明】
【００７６】
１      電子黒板
７      アイコン
１０    表示部
１１    操作部
１２    制御部
１４    表示面
１６    記憶部
１７    外部接続部
２０    表示制御部
２１    表示素子
２２    タッチパネルインタフェイス
２３    タッチパネル
２４    リードオンリメモリ
２５    ランダムアクセスメモリ
２７    表示装置本体
２８    コントローラ
３０    操作領域
３１    入力表示領域
【図１】
2015210504.tif 000003
【図２】
2015210504.tif 000004
【図３】
2015210504.tif 000005
【図４】
2015210504.tif 000006
【図５】
2015210504.tif 000007